(57)【要約】【課題】  端末装置から上位システムに対して情報の登録を行う場合に、端末装置の有効利用を図ることのできる端末装置を提供する。【解決手段】  ＰＤＡ７０は、入力制御部１０２、登録要求部１０４、受付処理部１０６、登録確認部１０８および送受信部１１２、表示入力部７２などを含み、入力制御部１０２は、登録要求部１０４が上位システムに対し登録要求を提供すると、表示入力部７２の入力機能の提供を停止し、受付処理部１０６が上位システムから情報の仮登録の実施完了通知を受け取ると、表示入力部７２の入力機能の提供を再開する。受付処理部１０６が、上位システムから情報の本登録の完了通知を受け取ると、登録確認部１０８は情報登録の確認処理を実行する。このように。上位システムにおける本登録処理に関わりなく、ＰＤＡ７０側では、仮登録の受け付けにより表示入力部７２が有効化され、ユーザが入力操作を再開することができる。【選択図】  図２
2006268584.tif 000002
【特許請求の範囲】
【請求項１】
ユーザからの入力を受け付け可能な入力部と、
前記入力部をユーザに提供する入力制御部と、
前記入力部において入力された情報の登録要求を上位システムに提供する登録要求部と、
前記上位システムから前記登録要求に対する返信を受け付ける受付処理部と、
前記上位システムにおける情報登録を確認する登録確認部と、
を含み、
前記入力制御部は、
前記登録要求部が上位システムに対し登録要求を提供すると、前記入力部の提供を停止し、前記受付処理部が上位システムから前記情報の仮登録の実施完了通知を受け取ると、前記入力部の提供を再開し、
前記受付処理部が、前記上位システムから前記情報の本登録の完了通知を受け取ると、前記登録確認部は情報登録の確認処理を実行することを特徴とする端末装置。
【請求項２】
前記受付処理部は、前記仮登録の完了通知を受け取ると、処理中であることを示すステータス情報を表示し、前記本登録の完了通知を受け取ると、前記ステータス情報を取り下げることを特徴とする請求項１記載の端末装置。
【請求項３】
前記受付処理部は、前記仮登録の完了通知を複数受け取った場合、完了通知の数に応じて、ステータス情報の表示形態を変化させることを特徴とする請求項２記載の端末装置。
【請求項４】
前記受付処理部は、前記ステータス情報の表示中、当該端末装置の電源オフを禁止することを特徴とする請求項１から請求項３のいずれか１項に記載の端末装置。
【請求項５】
前記受付処理部は、仮登録の完了通知の受け取り後、所定時間以内に本登録の完了通知を受け取れない場合、登録エラー処理を行うことを特徴する請求項１から請求項４のいずれか１項に記載の端末装置。
【請求項６】
前記端末装置は、看護行為の記録を行う端末装置であることを特徴とする請求項１から請求項５のいずれか１項に記載の端末装置。
【請求項７】
端末装置から要求される情報の登録要求を受け付ける要求受付部と、
前記要求受付部が受け付けた登録要求に対し登録動作を行う登録部と、
前記登録部の登録動作状況を前記端末装置に提供する状況提供部と、
を含み、
前記登録部は、前記登録要求を受け付けると、当該登録部に仮登録を行うと共に、上位システムに対して本登録要求を行い、
前記状況提供部は、登録部が仮登録を行うと前記端末装置に対し仮登録の完了通知を提供し、前記上位システムから前記本登録要求に対する本登録の成功の通知を受け取ると、前記端末装置に本登録の完了通知を提供することを特徴とする情報管理装置。
【請求項８】
前記登録部は、前記端末装置に対し複数の仮登録を行うことが可能であり、前記本登録が行われた場合には、対応する前記仮登録を取り下げることを特徴とする請求項７記載の情報管理装置。
【請求項９】
さらに、情報記憶部を有し、
前記登録部は、前記上位システムから本登録完了通知を受け取ると、前記上位システムに登録した内容を情報記憶部に登録することを特徴とする請求項７または請求項８記載の情報管理装置。
【請求項１０】
情報の登録要求を行う端末装置と、
前記端末装置の情報の登録要求に対し情報の仮登録を行う中間システムと、
前記中間システムを介して端末装置からの情報を本登録する上位システムと、
を含む情報管理システムであって、
前記端末装置は、
ユーザからの入力を受け付け可能な入力部と、
前記入力部をユーザに提供する入力制御部と、
前記入力部において入力された情報の登録要求を前記中間システムに提供する登録要求部と、
前記中間システムから前記登録要求に対する返信を受け付ける受付処理部と、
前記中間システムにおける情報登録を確認する登録確認部と、
を含み、
前記中間システムは、
前記端末装置から要求される登録要求を受け付ける要求受付部と、
前記要求受付部が受け付けた登録要求に対し登録動作を行う登録部と、
前記登録部の登録動作状況を前記端末装置に提供する状況提供部と、
を含み、
前記入力制御部は、前記登録要求部が中間システムの要求受付部に対し登録要求を提供すると、前記入力部の提供を停止し、前記受付処理部が中間システムの状況提供部から前記情報の仮登録の完了通知を受け取ると、前記入力部の提供を再開し、前記受付処理部が、前記中間システムの状況提供部を介し、前記上位システムから前記情報の本登録の完了通知を受け取ると、前記登録確認部は前記仮登録を取りさげ、情報登録の確認処理を実行することを特徴とする情報管理システム。
【発明の詳細な説明】
【技術分野】
【０００１】
本発明は、情報の管理技術に関し、特に端末装置から上位システムに対する情報の登録動作を改良することにより端末装置の使い勝手を向上する技術に関する。
【背景技術】
【０００２】
組織内で、複数のユーザが複数の端末装置を利用して情報の共有や管理を行う場合、各端末装置から入力された情報は、上位システムに順次登録され管理される。例えば、医療の現場では患者ごとに大量の情報が発生する。これらの情報は、複数の医師や看護師の間で共有され、いつでも登録や参照ができるように一括的に管理しておく必要がある。近年では、医療現場においても情報の電子管理が進み、医師や看護師が個々に操作できる端末装置からリアルタイムで看護行為に関する情報の入力を行ったり参照したりすることができるようになっている。例えば、特許文献１では、患者に対して予め識別情報として識別番号を付与している。そして、この識別番号と、患者に投与すべき薬剤などとの関係をサーバにデータベース化している。患者には例えば、識別情報を印刷したリストバンドなどを装着させることにより必要な識別番号を所持させている。看護師は、担当患者の看護行為を開始するのに先立ち、サーバが接続された管理コンピュータと携帯端末装置とを接続し、例えば看護師の勤務時間内の担当患者の看護内容を示す看護行為指示データを取得する。取得した看護行為指示データは例えば看護行為順に並んだ看護リストとして表示される。看護師は、この看護リストの順番に基づき看護行為を行うことができる。
【０００３】
例えば、看護行為として、体温や脈拍などの測定、患者の状態観察を行った場合、患者のベッドサイドにおいて、患者の情報を参照しながら、その場で、携帯端末装置から最新の情報を入力し、サーバにその情報を追加登録できるようになっている。
【０００４】
このようなシステムにおいては、看護師は、携帯端末装置に表示されている看護行為指示データに基づき、現在実施すべき看護行為を認識できると共に、患者や薬剤の認証をスムーズに行うことができる。また、新たに得た情報を順次リアルタイムでサーバに登録することにより、看護記録の記載ミスや看護の重複実施などを防止することができる。
【特許文献１】特開２００４−１１０８１８号公報
【発明の開示】
【発明が解決しようとする課題】
【０００５】
ところで、組織内の情報を管理するシステムは、システム全体を管理するメインシステムと、このメインシステムに並列に接続された複数のサブシステムとによって構成されている。例えば、病院のシステムにおいては、上述したような看護行為に関する情報を管理するサブシステムや麻酔部門の情報を管理するサブシステム、手術部門の情報を管理するサブシステム、医療事務に関する情報を管理するサブシステム、物流に関する情報を管理するサブシステムなどが接続されている。このようなシステム構成において、メインシステムが、各サブシステムに対してアクセス制限を設けることなく接続を自由に開放してしまうと、メインシステムが複数のサブシステムからのアクセスを同時に受け、その処理にメインシステムのＣＰＵパワーが割かれてしまうことになる。その結果、本来メインシステムで行う処理に遅延が生じてしまう。そのため、メインシステムに、複数のサブシステムが並列に接続されているシステムにおいては、サブシステムとの連携に制限を設けることが考えられる。例えば、メインシステムは、あるタイミングにおいては、１つのサブシステムとしか連携を行わないように制御し、メインシステム自身の処理に負担がかからないようにしている。
【０００６】
しかし、端末装置から上位システムに対する登録要求などのアクセスは、同時期に発生する場合が多い。例えば、上述のように、看護行為の結果をメインシステムに登録するようなシステムにおいて、看護師が所定の時間に病棟を一斉巡回して患者に看護行為を行う場合、同時期に複数の看護師からサブシステムを介してメインシステムにアクセスされることになる。この場合、サブシステムからメインシステムに対するアクセスは制限を受けているため、携帯端末装置から情報の登録要求を行っても、サブシステムとメインシステムとの間で登録待ち状態になる。例えば、複数の携帯端末装置から登録要求が同時期に行われた場合、直ちに登録が完了する登録要求と、幾つかの登録が完了してからでないと登録ができない登録要求が存在することになる。例えば、１登録に１秒必要な場合で、メインシステム側で登録待ち情報が２０個あるような場合、登録要求から２０秒経過しないと登録が完了しない情報も存在する。その結果、登録要求タイミングによって、端末装置における処理完了にかかる時間が変化してしまう。つまり、端末装置で入力を行った後に得られるはずの応答レスポンスが変化してしまう。場合によっては、携帯端末装置がエラーを起こしてしまったように見えることもある。また、登録動作を行っている時は、携帯端末装置側で他の操作が制限を受けるため、応答レスポンスに変化が発生すると、次の作業への移行タイミングにばらつきが生じ、ユーザが有効な時間活用を妨げられたように認識してしまう場合も生じる。
【０００７】
本発明はこうした状況に鑑みてなされたものであり、その目的は、端末装置から上位システムに対して情報の登録を行う場合に、端末装置の有効利用を図ることのできる端末装置および情報管理装置、情報管理システムを提供するものである。
【課題を解決するための手段】
【０００８】
上記課題を解決するために、本発明のある態様の端末装置は、ユーザからの入力を受け付け可能な入力部と、前記入力部をユーザに提供する入力制御部と、前記入力部において入力された情報の登録要求を上位システムに提供する登録要求部と、前記上位システムから前記登録要求に対する返信を受け付ける受付処理部と、前記上位システムにおける情報登録を確認する登録確認部と、を含み、前記入力制御部は、前記登録要求部が上位システムに対し登録要求を提供すると、前記入力部の提供を停止し、前記受付処理部が上位システムから前記情報の仮登録の実施完了通知を受け取ると、前記入力部の提供を再開し、前記受付処理部が、前記上位システムから前記情報の本登録の完了通知を受け取ると、前記登録確認部は情報登録の確認処理を実行することを特徴とする。
【０００９】
ここで、入力部とは、筐体上に物理的に形成されたスイッチなどによる入力手段やタッチパネルなどで画面上に形成されてる入力手段などを含むことができる。この態様によれば、入力部から情報の登録要求が上位システムに対して行われると、入力制御部が一時的に入力部を無効化するが、受付処理部が上位システムから情報の仮登録の完了通知を受け取ると入力制御部が一時的に無効化した入力部を有効化する。仮登録の返信は、登録要求の受け付けにより行われるので、仮登録の応答レスポンスはばらつきが少なく、短時間に行われる。また、入力部の一時的な無効化および、それに続く有効化により、動作のメリハリを感じ、ユーザは、登録処理が行われたことを容易に認識することができると共に、登録要求が行われ、さらに仮登録が行われた後の入力部の操作をスムーズに行うことができる。
【００１０】
また、上記態様において、前記受付処理部は、前記仮登録の完了通知を受け取ると、処理中であることを示すステータス情報を表示し、前記本登録の完了通知を受け取ると、前記ステータス情報を取り下げるようにしてもよい。
【００１１】
ここで、ステータス情報とは、例えば、「登録中です」という表示とすることができる。また、この表示は、有効化された入力部に対し入力の妨げにならない位置に表示されることが望ましい。このステータス情報は、本登録の完了通知の取得により取り下げられるので、ユーザはバックグランドで行われている登録処理の終了を容易に認識することができる。
【００１２】
また、上記態様において、前記受付処理部は、前記仮登録の完了通知を複数受け取った場合、完了通知の数に応じて、ステータス情報の表示形態を変化させてもよい。ステータス情報を表示するために、表示部のスペースを必要以上に使用することは好ましくない。そこで、例えばステータス情報の表示は１つとして、ステータス情報の表示色を仮登録の完了通知の数に応じて変化させたり、点滅表示させるようにすることができる。また、ステータス情報の表示を意匠マークなどで行う場合には、その意匠マークの種類を仮登録の完了通知の数に応じて変化させてもよい。この態様によれば、ユーザは、複数の本登録処理がバックグラウンドで行われていることを容易に認識することが可能になり、安心感を伴いながら登録要求を含む端末装置の操作を継続して行うことができる。
【００１３】
また、上記態様において、前記受付処理部は、前記ステータス情報の表示中、当該端末装置の電源オフを禁止するようにしてもよい。この態様によれば、本登録の完了前に端末装置が停止することが防止され、情報の本登録動作の終了確認を確実に行うことができる。
【００１４】
また、上記態様において、前記受付処理部は、仮登録の完了通知の受け取り後、所定時間以内に本登録の完了通知を受け取れない場合、登録エラー処理を行うようにしてもよい。ここで、所定時間とは、例えば３０秒であり、エラー処理は、例えば、登録処理失敗を示すメッセージの提示やアラームの出力、表示の点滅などで行うことができる。また、エラーになった登録要求は破棄され、情報の入力を最初から行わせてもよいし、エラーとなった登録要求に関する情報の再表示を行い、再度登録要求を行うようにしてもよい。この場合、自動的に再登録要求処理を行ってもよい。この態様によれば、ステータス情報が長時間表示されることが防止され、ユーザに情報登録処理が良好に行われていることを容易に認識させることができる。
【００１５】
また、上記態様において、前記端末装置は、看護行為の記録を行う端末装置とすることができる。この態様によれば、スムーズな看護行為の支援を行うことができる。
【００１６】
上記課題を解決するために、本発明のある態様の情報管理装置は、端末装置から要求される情報の登録要求を受け付ける要求受付部と、前記要求受付部が受け付けた登録要求に対し登録動作を行う登録部と、前記登録部の登録動作状況を前記端末装置に提供する状況提供部と、を含み、前記登録部は、前記登録要求を受け付けると、当該登録部に仮登録を行うと共に、上位システムに対して本登録要求を行い、前記状況提供部は、登録部が仮登録を行うと前記端末装置に対し仮登録の完了通知を提供し、前記上位システムから前記本登録要求に対する本登録の成功の通知を受け取ると、前記端末装置に本登録の完了通知を提供することを特徴とする。
【００１７】
この態様によれば、情報管理装置は、上位システムと端末装置とのインターフェースとして機能し、上位システムにおける情報の本登録状況に関わらず、端末装置に対し、スムーズに仮登録の完了通知を提供し、端末装置側の操作をスムーズに継続的に行うことができる。
【００１８】
また、上記態様において、前記登録部は、前記端末装置に対し複数の仮登録を行うことが可能であり、前記本登録が行われた場合には、対応する前記仮登録を取り下げるようにすることができる。この態様によれば、端末装置から複数の登録要求が行われても、順次仮登録を行う。その結果、端末装置側における登録要求に対する上位システムの応答レスポンスが低下した場合であってもユーザは応答レスポンスの低下を感じることなく、端末装置から情報の登録要求を継続して情報管理装置に送ることができる。また、本登録が行われた順に仮登録を取り下げるので、仮登録を複数行っても仮登録処理が煩雑になることが防止できる。
【００１９】
また、上記態様において、さらに、情報記憶部を有し、前記登録部は、前記上位システムから本登録完了通知を受け取ると、前記上位システムに登録した内容を情報記憶部に登録するようにしてもよい。この態様によれば、上位システムに登録した情報と同じ情報を後から情報記憶部に登録するので、情報登録の信頼性を向上することができる。
【００２０】
上記課題を解決するために、本発明のある態様の情報管理システムは、情報の登録要求を行う端末装置と、前記端末装置の情報の登録要求に対し情報の仮登録を行う中間システムと、前記中間システムを介して端末装置からの情報を本登録する上位システムと、を含む情報管理システムであって、前記端末装置は、ユーザからの入力を受け付け可能な入力部と、前記入力部をユーザに提供する入力制御部と、前記入力部において入力された情報の登録要求を前記中間システムに提供する登録要求部と、前記中間システムから前記登録要求に対する返信を受け付ける受付処理部と、前記中間システムにおける情報登録を確認する登録確認部と、を含み、前記中間システムは、前記端末装置から要求される登録要求を受け付ける要求受付部と、前記要求受付部が受け付けた登録要求に対し登録動作を行う登録部と、前記登録部の登録動作状況を前記端末装置に提供する状況提供部と、を含み、前記入力制御部は、前記登録要求部が中間システムの要求受付部に対し登録要求を提供すると、前記入力部の提供を停止し、前記受付処理部が中間システムの状況提供部から前記情報の仮登録の完了通知を受け取ると、前記入力部の提供を再開し、前記受付処理部が、前記中間システムの状況提供部を介し、前記上位システムから前記情報の本登録の完了通知を受け取ると、前記登録確認部は前記仮登録を取りさげ、情報登録の確認処理を実行することを特徴とする。
【００２１】
この態様によれば、端末装置から上位システムに対し情報の登録要求を行う場合、端末装置の登録要求に対し、上位システムにおける本登録処理に関わりなく、中間システムから仮登録の完了通知が送信される。端末装置側では、仮登録の受け付けにより入力部が有効化されるため、ユーザが入力操作を再開することができる。中間システムから返信される仮登録は、中間システムが登録要求を受け付けることにより行われるので、仮登録の完了通知は、時間的なばらつきを伴うことなく短時間に行われる。入力部の一時的な無効化および、それに続く有効化という、メリハリのある現象により、ユーザは、仮登録処理が行われたことを容易に認識することができ、その後の入力部の操作により、端末装置の操作をスムーズに行うことができる。また、上位システムでは、中間システムが入力情報の仮登録処理を行うことにより、端末装置の入力操作を許容するので、登録要求操作を阻害することなく本登録処理を行うことが可能となる。その結果、端末装置から上位システムに対して情報の登録を行う場合に、原則として、上位システムにおける登録処理の結果に依存することなく、ユーザが端末装置への入力を実行することができる。
【発明の効果】
【００２２】
本発明によれば、端末装置から上位システムに対して情報の登録を行う場合に、情報の登録要求に対する仮登録を行うことにより、入力部の提供を再開することで、システムをスムーズに運用できる。また、原則として、上位システムにおける登録処理の結果に依存することなく、ユーザが端末装置への入力を実行することができる。その結果、端末装置を用いた情報の登録をスムーズに違和感なく行うことができる。
【発明を実施するための最良の形態】
【００２３】
以下、本発明の実施の形態（以下実施形態という）を、図面に基づいて説明する。
【００２４】
本実施形態の端末装置およびその端末装置を用いた情報管理装置、また、それらを含んで構成される情報管理システムは、端末装置から上位システム、すなわち本登録用システムに対し情報の登録を行うものである。端末装置側から上位システムに対して情報の登録要求が行われると、端末装置と上位システムとの間でインターフェース的役割を果たし、中間システムとして仮登録用システムとして機能する情報管理装置が、上位システムに対し本登録の要求を行うと共に、情報の仮登録を行って端末装置に仮登録の完了通知を送信する。端末装置は、仮登録の完了通知に基づき、見かけ上情報の登録が完了したと見なし、次の入力操作が可能になるように入力部を制御して、上位システムにおける本登録動作に関わりなく、端末装置側でスムーズな情報登録操作を可能にするものである。以下の説明では、本実施形態に係る端末装置および情報処理装置、情報管理システムが適用される一例として、病院の情報管理システムにおいて情報の登録および管理を行う場合を説明する。なお、本実施形態において、上位システムとは、端末装置に対し上位に位置するシステムであり、中間システムとは、上述のように端末装置と上位システムとの間でインターフェース的役割を果たすシステムである。したがって、端末装置において、中間システムも上位システムの一形態であるとすることができる。また、端末装置に対する上位システムの態様として、上位システムの本登録機能と中間システムの仮登録機能とが一体化することもできる。
【００２５】
図１は、本実施形態にかかる情報管理システム１の構成を示している。情報管理システム１は、病院などの医療施設に設置され、メインシステムである病院情報管理システム１０、およびサブシステムである看護支援システム２０を備えて構成される。病院情報管理システム１０および看護支援システム２０の間はＬＡＮ（Local Area Network）１６により通信可能に接続される。図示していないが、ＬＡＮ１６には、医療施設内における他のサブシステム、例えば麻酔の手順を管理する麻酔支援システムや、リハビリ計画を管理するリハビリ支援システムなどが接続されていてもよい。病院情報管理システム１０は、ＬＡＮ１６を介して接続される看護支援システム２０などのサブシステムを一元的に集中管理する機能を有する。本実施形態においては、病院情報管理システム１０が上位システムであり、本登録を行う本登録システムとして機能する。
【００２６】
病院情報管理システム１０は、看護支援システム２０などのサブシステムの動作を管理・制御する病院情報管理サーバ１２と、看護支援システム２０などのサブシステムにおいて取得されたデータなどを記録するマスタデータベース（マスタＤＢ）１４を有する。マスタＤＢ１４には、真正のデータが記録され、外部からのデータ改竄等を防止するための高度なセキュリティ対策が講じられる。なお、この病院情報管理システム１０は、接続された複数のサブシステムからアクセスが同時に行われると、それらサブシステムとの連携に、病院情報管理サーバ１２のＣＰＵ能力が割かれてしまい、本来病院情報管理サーバ１２が行う処理に遅延が生じる虞がある。そのため、病院情報管理サーバ１２は、自身の処理負荷が増大しないように、サブシステムの１つずつとしか処理動作を行わないように制御されている。つまり、病院情報管理システム１０とサブシステムとの間には、いわゆるシングルスレッドが構成されている。
【００２７】
サブシステムの１つである看護支援システム２０は、看護支援機能を実行する管理コンピュータとしてのサーバ３０、所期のデータを記録するテンポラリＤＢ４０、看護師などの医療スタッフにより携帯される携帯型の端末装置であるＰＤＡ（Personal Digital Assistants）７０ａ〜７０ｎ（以下、代表して「ＰＤＡ７０」とよぶ）、ＰＤＡ７０との間で無線ＬＡＮを構築してＰＤＡ７０に対してデータを送受信するアクセスポイント５０ａ〜５０ｎ（以下、代表して「アクセスポイント５０」とよぶ）、データの入出力を行うためのパーソナルコンピュータ６０ａ〜６０ｎ（以下、代表して「ＰＣ６０」とよぶ）を備える。ＰＣ６０は、据え置き型の端末装置であり、ＰＤＡ７０と同等またはそれ以上の機能を有し、看護師等の医療スタッフは、ＰＣ６０を設置した場所でデータの入力やデータの参照、確認等を行う。本実施形態においては、サーバ３０が中間システムであり、仮登録システムとして機能する。
【００２８】
ＰＤＡ７０は、通常のＰＤＡの機能（例えばタッチパネル等によるデータの入力手段、入力されたデータに対するＣＰＵ等の処理手段、データの記憶手段、処理されたデータ等を表示する表示手段など）の他に、無線ＬＡＮによりアクセスポイント５０と無線通信可能な無線ＬＡＮカードなどの送受信手段と、患者や看護に使用する薬品などに付された識別情報の読み取り手段（入力手段）などを内蔵している。
【００２９】
識別情報の読み取り手段としては、例えば光学的に情報を読み込むことができるＯＣＲ（Optical Character Reader）や、無線ＩＣタグなどから電波や電磁波などで情報を読み取る受信器などの読取部などを備える。識別情報の読取りを可能とすることにより、このＰＤＡ７０を携帯する看護師等の医療スタッフは、その医療スタッフ自身の識別情報となる利用者ＩＤや、看護行為を行う対象となる患者を識別する患者ＩＤ、注射液などの医療行為用資材に付与された資材ＩＤなど識別情報の入力（或いは読み取り）を正確かつ簡単に、さらに迅速に行うことができるようにしている。また、このＰＤＡ７０は、薬液に対する耐性を有する防水構造を有し、医療現場で使い易い構造にしてある。
【００３０】
既述したようにＰＤＡ７０は、無線ＬＡＮによる通信機能を有しており、アクセスポイント５０からのアクセス範囲内においては、任意の場所でサーバ３０を介して病院情報管理システム１０側にアクセスして、看護行為の内容を指示する看護行為指示データ（以下、オーダという場合もある）を取得し、その取得した看護行為指示データをＰＤＡ７０の表示手段で表示できるようにしている。また、看護行為指示データが患者のバイタル記録や状態観察などを指示するものである場合、ＰＤＡ７０の入力部から数値の入力や選択肢の入力を行い、病院情報管理システム１０側に情報を登録できるようになっている。さらに、注射などの看護行為の実施、未実施などの情報もＰＤＡ７０の入力部から病院情報管理システム１０に記録できるようになっている。
【００３１】
看護支援システム２０は、例えば、注射等の看護行為指示データの登録が行われる外来システム、病棟システム、注射等の看護行為指示データの登録により薬剤払い出し等を行う薬剤部門システム、医療行為に対する会計処理等を行う医事システム、看護師により混注等を行うナース（ステーション）システム等に設けられる。特に、アクセスポイント５０やＰＣ６０は、看護師が看護行為を行うナースシステム及び病棟システムに設置され、各看護師がＰＤＡ７０を携帯することにより、その看護師は、看護行為の実施場所、具体的には入院している患者のベッドサイドにまで行き、その場所でその看護行為の入出力を行えるようにしている。
【００３２】
このように本実施形態の情報管理システム１は、ＰＤＡ７０を効率的に利用することで、看護行為の状況をリアルタイムで記録または参照できる構成をとっている。ＰＤＡ７０を携帯した看護師は、看護行為を行う場合、その看護行為の作業予定の内容をＰＤＡ７０により確認でき、その作業予定の内容を確認してから、作業予定の看護行為を行うことができるので、実施されるべき（予定された）看護行為を正確かつ誤りの少ない状態で行うことができる。また、看護行為の実施後、その実施場所でＰＤＡ７０から看護行為の内容を容易に入力できるため、看護行為の記録を、正確かつ誤りの少ない状態で行うことができる。
【００３３】
また、ＰＤＡ７０を携帯した看護師は、看護行為を行う場合に、携帯したＰＤＡ７０を利用して任意の場所および時間でオーダの参照を行ったり、確認することができ、看護行為が円滑に行えるようになっている。また、ＰＤＡ７０を携帯した看護師は、作業予定内容が変更されるような場合においても、実施場所で、実施を行う直前に作業予定内容を確認することで、作業予定内容の変更を確認することが可能となり容易に対処することができる。
【００３４】
図２は、ＰＤＡ７０の構成を説明する機能ブロック図である。ＰＤＡ７０の筐体は、例えば、携帯に適した片手支持サイズであり、筐体表面には、表示機能と入力機能を有するタッチパネルなどで構成され、入力部と表示部の両方の機能を有する表示入力部７２が配置されている。また、筐体の例えば上端面には、ＯＣＲや、赤外線などを用いて情報の読み取りを行う光学センサや、無線ＩＣタグなどから電波や電磁波などを検出する受信器などを含む読取部７４が配置されている。読取部７４を筐体の上端面に配置することにより、資材ＩＤや患者ＩＤなどの情報の読み取りを行う場合、ＰＤＡ７０の持ち替えなどを行うことなく読み取り対象に容易に翳すことができる。
【００３５】
筐体内部には、各種データの処理を行うＣＰＵ１００を構成する入力制御部１０２、登録要求部１０４、受付処理部１０６、登録確認部１０８が配置されている。また、この他に、記憶部１１０、送受信部１１２、電源制御部１１４などが配置されている。
【００３６】
入力制御部１０２は、表示入力部７２や読取部７４から入力される入力情報の処理を行うと共に、表示入力部７２や読取部７４の入力機能の有効、無効の切り替えを行い、ユーザである看護師に表示入力部７２や読取部７４による入力部としての機能を提供するか否かを制御している。登録要求部１０４は、入力制御部１０２を介して表示入力部７２や読取部７４からの情報を登録する旨の指示が行われたことを認識すると、上位システム、この場合、サーバ３０に対し登録要求を提供する。なお、入力制御部１０２は、登録要求部１０４が登録要求を行うと、前述したように表示入力部７２や読取部７４の入力機能を一時的に無効化し、ユーザによる入力操作を禁止する。また、受付処理部１０６がサーバ３０から情報が仮登録されたことを示す仮登録の完了通知を受け取ると、入力制御部１０２は、表示入力部７２や読取部７４の入力機能を有効化する。つまり、サーバ３０で仮登録が行われると表示入力部７２及び読取部７４による入力操作を復帰させる。なお、ここで、有効化、無効化される入力部は、上述したようなタッチパネルなどで構成される入力部の他、ＰＤＡ７０の表面に配置されたメカニカルスイッチなども含む。
【００３７】
また、登録要求部１０４は、表示入力部７２においてユーザである看護師から入力された情報の登録要求を上位システムに提供する。この場合、上位システムは、サーバ３０が該当し、登録要求部１０４は、送受信部１１２を介して登録要求をサーバ３０に送信する。なお、この登録要求には、登録する情報の実態も含まれている。受付処理部１０６は、送受信部１１２を介して、送信した登録要求に対する返信である仮登録の完了通知をサーバ３０から受け付けるとともに、後述するが、表示入力部７２に登録処理中であることを示すステータス情報を表示させる。本実施形態においては、サーバ３０で仮登録を行うことにより、表示入力部７２などの入力部が有効化され、病院情報管理システム１０で本登録が完了する前に表示入力部７２や読取部７４の入力部の入力機能を復帰させる。したがって、受付処理部１０６は、１つの登録要求に対する本登録が完了する前に他の仮登録の完了通知を複数受け付ける場合もある。この場合、受付処理部１０６は表示するステータス情報の表示形態を変化させて、本登録処理を行っている情報が複数存在することを示すことができる。さらに受付処理部１０６は、仮登録の完了通知を受け付けた場合、登録処理中であることを示すステータス情報が表示されているときには、電源制御部１１４を制御して、電源のオフを禁止することができる。ステータス情報が表示されているときには、本登録が完了していない状態にあるときであり、この状態でＰＤＡ７０の電源をオフにすると登録処理が完了したか否かを確認することができないため、ステータス情報が取り下げられるまで電源オフを禁止することが望ましい。
【００３８】
また、受付処理部１０６はサーバ３０側から登録要求に対する返信である病院情報管理システム１０における本登録の完了通知を所定時間以内に受け付けられなかったときにエラー処理を行うこともできる。ここで、エラー処理とは、例えば、登録処理失敗を示すメッセージを表示入力部７２に表示したり、アラームの出力を行ったり、所定の表示を点滅させることなどを含む。このとき、入力制御部１０２に入力された情報は、破棄され、新たに情報の再入力を行わせてもよいし、入力制御部１０２に入力された情報を一時的に記憶部１１０に保存することができる場合には、エラーとなった登録要求に関する情報を表示入力部７２に再表示したり、再度登録要求を行うようにガイドしてもよい。この場合、登録要求部１０４は自動的に再登録要求処理を行ってもよい。
【００３９】
さらに、受付処理部１０６が上位システムである病院情報管理システム１０から本登録の完了通知を受け取ると、登録確認部１０８は、情報登録が完了したことを確認して所定の確認処理を行う。例えば、登録中であることを示すステータス情報の表示を中止する処理などを実行する。
【００４０】
図３は、本実施形態の情報管理システム１における中間システムであるサーバ３０の構成を説明する機能ブロック図である。サーバ３０はパーソナルコンピュータなどにより構成される。ＣＰＵ１２０には、要求受付部１２２、登録部１２４、状況提供部１２６などが含まれている。この他、サーバ３０には、ＰＤＡ７０が接続可能なアクセスポイント５０やＰＣ６０との間で送受信を行う送受信部１２８や、病院情報管理システム１０との間で送受信を行う送受信部１３０などが含まれている。
【００４１】
要求受付部１２２は、ＰＤＡ７０から要求される情報の登録要求を送受信部１２８を介して受け付けると共に、登録部１２４へ登録要求を受け付けた旨を通知する。登録部１２４は、要求受付部１２２から登録要求があった旨の通知を受けると、登録部１２４内の記憶領域または、テンポラリＤＢ４０に情報の仮登録を行うと共に、送受信部１３０を介して、上位システムである病院情報管理システム１０に対して、ＰＤＡ７０から要求のあった情報の本登録要求を行う。また、状況提供部１２６は、登録部１２４の行った登録動作状況を送受信部１２８を介してＰＤＡ７０などの端末装置に提供する。具体的には、サーバ３０の登録部１２４において、ＰＤＡ７０側から要求のあった情報の仮登録が完了した旨を示す完了通知をＰＤＡ７０側に提供する。また、送受信部１３０を介して病院情報管理システム１０側から、先に要求した本登録要求に対して、本登録に成功したことを示す完了通知を受けると、送受信部１２８を介して、本登録が完了したことを示す完了通知をＰＤＡ７０側に提供する。また、登録部１２４は、病院情報管理システム１０側から本登録の完了通知を得ると、情報記憶部として機能するテンポラリＤＢ４０に対し、上位システムである病院情報管理システム１０が登録した情報を登録保持する。このように複数の記憶部で情報の記憶を行うことにより、情報の信頼性の向上や各システムにおける情報の活用自由度を向上することに寄与することができる。
【００４２】
なお、登録部１２４は、病院情報管理システム１０における本登録の完了の有無に関わらず端末装置であるＰＤＡ７０などに対して複数の仮登録を行うことが可能である。言い換えれば、ＰＤＡ７０側から複数の情報の登録要求が行われても、病院情報管理システム１０における本登録の結果を待たずに、見かけ上登録が完了したことを示す仮登録の完了通知をＰＤＡ７０側に提供し、ＰＤＡ７０における入力処置が停滞することを防止している。なお、病院情報管理システム１０側から本登録の成功を示す完了通知を受け取った場合、その完了通知が状況提供部１２６を介してＰＤＡ７０側に送られ、対応する仮登録が、受付処理部１０６により取り下げられる。
【００４３】
以上のように構成されるＰＤＡ７０やサーバ３０を含む情報管理システム１の登録動作を説明する。はじめに、本実施形態の登録動作を伴うＰＤＡ７０の表示動作を説明する。なお、本実施形態では、情報管理システム１の例として、前述したように病院における情報の管理を例に採り、情報管理の一例として看護師が端末装置であるＰＤＡ７０を利用して看護行為中に得た情報を登録する手順を図４、図５を参照しながら説明する。
【００４４】
図４（ａ）は、ＰＤＡ７０の電源をＯＮした直後に表示される起動画面２００である。タッチパネルで構成されるＰＤＡ７０の表示入力部７２には、通常の看護行為実施時に用いる「Ｌｏｇｉｎ」アイコン１５０と、拡張機能使用時に用いる「Ｅｘｔｅｎｄ」アイコン１５２が表示される。
【００４５】
看護師がＬｏｇｉｎアイコン１５０を選択すると、図４（ｂ）に示すログイン画面２０２が表示入力部７２上に表示される。このログイン画面２０２において、看護師は、利用者ＩＤとパスワードを入力する。例えば、看護行為を実施する看護師が自分のネームプレートなどに付与されている識別情報としての識別コードをＰＤＡ７０の読取部７４で読み取る。この場合、読取部７４として光学式のコードリーダが機能する。識別コードの読み込みが完了すると、利用者ＩＤの欄に、識別コードから読み取ったＩＤデータが表示される。図４（ｂ）では、例えば看護師「○○花子」の名前が表示される。また、看護師は、表示入力部７２に表示されている入力キー１５４を用いて、予め設定されているパスワードの入力を行い、確定キー１５６の押下を行う。看護支援システム２０側では、ＰＤＡ７０からユーザとパスワードの情報を受け付け認証を行う。このように、ＰＤＡ７０は読取部７４および表示入力部７２により容易にかつ正確に使用者ＩＤおよびパスワードの入力を受け付け、これから看護を開始しようとするユーザの認証および特定を行う。なお、図４、図５で示す各例示画面で確定キー１５６は、入力事項や選択事項の確定を行うキーであり、機能的に略同一であるので、同一の符号「１５６」を付して説明する。
【００４６】
看護師の認証が完了すると、表示入力部７２は、図４（ｃ）のような勤務帯選択画面２０４に移行する。画面上部には、ログインしている看護師の氏名と識別コードが表示されると共に勤務帯が表示される。本実施形態では、勤務帯は、例えば深夜帯０：３０〜９：００、日勤帯８：３０〜１７：００、準夜帯１６：３０〜０１：００として説明してあるが、時間幅は、設定により変更可能である。この場合、ユーザがログインした時刻を含む勤務帯が中央にデフォルトの選択状態で表示され、その前後に他の２つの勤務帯が表示される。看護師は、所望の勤務帯を選択する。看護師は、勤務帯を選択して確定キー１５６を押すことにより、その選択された勤務帯ごとの看護行為指示データの取得が可能となる。なお、勤務時間帯に重複部分が存在するのは業務の引き継ぎ等を考慮しているためである。
【００４７】
勤務時間帯の選択を行うと、図４（ｄ）に示すように、病棟一覧画面２０６が表示される。看護師が、所属する病棟の選択キー１５８に続いて確定キー１５６を押下すると、ＰＤＡ７０は、ログインしている看護師の情報と、勤務時間帯、病棟情報などをサーバ３０側に送信する。サーバ３０はＰＤＡ７０からの送信を受け、さらに病院情報管理システム１０側にアクセスして看護対象となる全ての患者の情報を検索取得する。取得された患者情報は、サーバ３０からＰＤＡ７０に送信され、図４（ｅ）に示すように、患者一覧画面２０８がＰＤＡ７０の表示入力部７２に表示される。図４（ｅ）の例では、ログインした看護師に対し、「１Ｆ北」病棟に４名の担当患者が存在することを示している。患者一覧画面２０８では、例えば、患者に付与された患者ＩＤ１６０と患者氏名１６２が表示される。また、患者一覧画面２０８の画面下には、これから看護行為を実施しようとする患者を選択することを促すメッセージが表示される。例えば、事前に特定の患者の今日の看護予定を表示させたい場合には、患者一覧画面２０８から所望の患者を選択すればよい。また、患者と対面している場合には、患者が身に付けているリストバンドなどに印刷された患者を識別するための識別情報である患者ＩＤをＰＤＡ７０の読取部７４で読み取ることにより患者一覧画面２０８から特定の患者を選択することができる。もちろん、患者一覧画面２０８にない患者の患者ＩＤを読み込んだ場合にはエラー表示がされる。
【００４８】
患者選択が行われると、図４（ｆ）に示すように、ＰＤＡ７０の表示入力部７２の表示画面は、作業内容一覧画面２１０に移行する。作業内容一覧画面２１０では、看護対象の患者、例えば「○○ユキエ」に対する本日分の看護行為指示データの一覧が示されてる。作業内容一覧画面２１０は、看護行為指示データに基づいて実施する看護行為のうち、実施が未（まだ）の未作業リストと実施済みの済み作業リストとが分類表示される。なお、未作業リストを表示する未タブ１６４と、済み作業リストを表示する済タブ１６６とが設けられている。作業内容一覧画面２１０により、ログインしている看護師は、患者に対し予定されている看護の実施、未実施が容易に識別できると共に、これから実施する看護をもれなく認識することができる。例えば、未実施の看護行為のうち「朝食摂取量（主食）」の確認を行う場合、「朝食摂取量（主食）」を選択すると、図５（ａ）に示すような情報登録画面２１２に移行する。看護師は、対応する朝食摂取量の選択肢キー１６８を選び、確定キー１５６を押下する。この時点で、看護師が取得した看護情報がサーバ３０を介して病院情報管理システム１０側に送信され、情報の登録要求が行われることになる。
【００４９】
確定キー１５６を押下すると、ＰＤＡ７０の表示入力部７２は、図５（ｂ）に示すような作業内容一覧画面２１０に戻る。前述したように、登録要求部１０４により情報の登録要求が行われると、サーバ３０の登録部１２４において仮登録が行われ、状況提供部１２６により仮登録の完了通知がＰＤＡ７０に送信される。完了通知が受付処理部１０６で受信されると、図５（ｂ）に示すように、作業内容一覧画面２１０の所定の位置に仮登録が済んで本登録中であることを示すステータス情報１７２が表示される。図５（ｂ）の例では、ステータス情報１７２として、例えば「登録中です」という情報が、情報表示や入力の妨げにならない位置に表示される。図５（ａ）において、確定キー１５６が押下され、図５（ｂ）のステータス情報１７２が表示されるまでは、サーバ３０において仮登録処理が行われているので、表示入力部７２、読取部７４による入力操作は無効化されるが、ステータス情報１７２が表示された後は、表示入力部７２、読取部７４などの入力部は有効化され、入力部として再び機能することができる。このように、表示入力部７２や読取部７４などの入力部が一時的に無効化され、それに続き有効化されることにより看護師は、仮登録処理が行われたことを容易に認識することができると共に、登録要求後の入力部の操作でスムーズに行うことができる。なお、この入力機能が無効化される時間は、例えば１秒程度の短い時間である。そのため、看護師は、情報の登録要求を行った後、すぐに次の入力操作に移行することができる。
【００５０】
このステータス情報１７２は、受付処理部１０６が病院情報管理システム１０側から登録要求を行った情報の本登録が成功した旨を示す完了通知を受信すると、取り下げられる。すなわち、本登録が完了したことに基づきステータス情報１７２が消える。
【００５１】
ここで、確定キー１５６を押下後、ステータス情報１７２が表示された後は、前述したようにＰＤＡ７０の入力操作が可能となるので、看護師は、図５（ｂ）の作業内容一覧画面２１０で未タブ１６４を押下することにより図４（ｆ）に示す状態の作業内容一覧画面２１０に戻り、次の看護行為を行うことができる。この時点で、実施済みの「朝食摂取量（主食）」は済み作業リストに移動しているので表示されない。
【００５２】
看護師が次の看護行為として、例えば「体温」を選択すると、図５（ｃ）に示す、体温情報を登録する情報登録画面２１２が表示される。看護師は、テンキー１７４により測定した体温を入力し、確定キー１５６を押下することにより、前述したように、体温情報の登録要求が行われ、図５（ｂ）のステータス情報１７２が表示された作業内容一覧画面２１０に移行する。
【００５３】
ところで、前述したように、看護師が定時巡回看護を行っているような場合、複数の看護師からほぼ同時に情報の登録作業が行われる。その結果、病院情報管理システム１０における本登録の作業が順番待ちとなり、本登録の完了通知がサーバ３０に送信されるまでの時間が長くなり、したがってステータス情報１７２の表示時間が長くなる。前述したように、ステータス情報１７２が表示されている時は、入力操作が可能な状態であり、複数の情報の登録要求が可能である。このとき、ステータス情報１７２が表示入力部７２上に複数個表示されると、ステータス情報１７２の表示のために表示入力部７２のスペースを占有することは好ましくない。また、複数のステータス情報１７２が表示されることは、見た目上も好ましくない。そこで、本実施形態では、複数のステータス情報１７２を表示する場合、重ねて表示し、見かけ上１個のステータス情報１７２しか表示されていないようにすることができる。
【００５４】
この場合、ユーザである看護師は、現在いくつの登録作業がバックグラウンドで行われているか認識にできないため、本実施形態において、受付処理部１０６は、受け取り済みで有効となっている仮登録の完了通知の数に応じて、ステータス情報１７２の表示形態を変化させるようにすることができる。例えば、図６（ａ）に示すように、ステータス情報１７２の数に応じて、表示にグラデーションをつけたり、図６（ｂ）〜（ｄ）に示すように、表示色を変化させてもよい。図６（ａ）の場合、ステータス情報１７２の左側が濃く、右側が薄い表示色になっている。したがって、重畳されているステータス情報１７２の数が多いほど濃い部分が多くなるようになっている。このグラデーションはカラー表示で行ってもよい。また、図６（ｂ）〜（ｄ）は、ステータス情報１７２全体の色を、重畳されているステータス情報１７２の数に応じて変化させている。例えば、重畳されているステータス情報１７２の数が１〜３の場合は「青色」（例えば、図６（ｂ））、４〜６の場合は「黄色」（例えば、図６（ｄ））、７以上の場合は「赤色」（例えば、図６（ｄ））などとすることができる。この他、重畳されているステータス情報１７２の数に応じて、ステータス情報１７２を点滅させたり、その点滅速度を変化させたりすることができる。また、ステータス情報１７２の表示内容自体を変化させてもよし、ステータス情報１７２を意匠マークなどで構成し、ステータス情報１７２の数に応じて意匠マークを変化させてもよい。
【００５５】
このように、ステータス情報１７２の表示形態を変化させることにより、ユーザである看護師は、複数の本登録処理がバックグラウンドで行われていることを容易に認識することが可能になり、安心感を伴いながら登録要求を継続して行うことができる。
【００５６】
図７は、上述したＰＤＡ７０、サーバ３０、病院情報管理システム１０からなる情報管理システム１の処理シーケンスの概略である。図４や図５に示す表示画面で、確定キー１５６など、情報の登録を要求する操作を行うたびに、図７に示すシーケンスが実行される。
【００５７】
まず、ユーザである看護師が、体温などの情報の入力を行い確定キー１５６を押下した場合（Ｓ１）、ＰＤＡ７０の登録要求部１０４は、送受信部１１２を介して、サーバ３０に接続要求を行う（Ｓ２）。サーバ３０が、接続要求に対し接続を許可し、接続要求受付信号を返信すると（Ｓ３）、ＰＤＡ７０の登録要求部１０４は、情報の登録要求を送信する（Ｓ４）。サーバ３０の登録部１２４が、送受信部１２８および要求受付部１２２を介して送信された登録要求を受け取ると、登録部１２４は、登録部１２４内部の記憶領域またはテンポラリＤＢ４０に情報の仮登録を行う（Ｓ５）。登録部１２４が仮登録処理を行うと、状況提供部１２６は送受信部１２８を介してＰＤＡ７０に仮登録の完了通知を送信する（Ｓ６）。ＰＤＡ７０の受付処理部１０６は完了通知を受け取ると、サーバ３０に対する回線の切断を行う（Ｓ７）。なお、前述したように、ＰＤＡ７０が登録要求を送信してから仮登録の完了通知を受け取るまでの間、ＰＤＡ７０の表示入力部７２などの入力部は無効化されるが、仮登録の完了通知の受け取りによって、入力部の無効化は解除され、表示入力部７２などは、入力部として機能を再開する。したがって、ＰＤＡ７０は、仮登録の完了通知受け取り後、入力操作可能な状態になる。ＰＤＡ７０の受付処理部１０６は仮登録の完了通知の受け取りに基づき、ステータス情報１７２の表示を行う。なお、ステータス情報１７２が表示された後は、ステータス情報１７２が取り下げられるまで、ＰＤＡ７０の受付処理部１０６は、電源制御部１１４を制御し電源がオフされることを禁止する。
【００５８】
一方、サーバ３０側では、登録部１２４で仮登録が行われると、当該登録部１２４が、病院情報管理システム１０の病院情報管理サーバ１２に対し、本登録要求を行うために接続要求を行う（Ｓ８）。前述したように、サーバ３０を含む看護支援システム２０は病院情報管理システム１０に対してシングルスレッドで接続されているので、その時に接続要求を行っている数、言い換えれば仮登録が完了している数により、この接続要求が受け付けられるまでの時間が異なる。病院情報管理システム１０によって接続要求が受け入れられ、接続要求受付信号がサーバ３０の登録部１２４に返信されると（Ｓ９）、サーバ３０の登録部１２４は送受信部１３０を介して、本登録要求を行う（Ｓ１０）。
【００５９】
病院情報管理システム１０において、本登録要求に対応した情報の本登録が成功し、サーバ３０の登録部１２４が送受信部１３０を介して、本登録要求に対する本登録の完了通知を受け取ると（Ｓ１１）、サーバ３０は、病院情報管理システム１０との回線を切断する（Ｓ１２）。この時点で、サーバ３０で別の情報に対する仮登録が行われている場合、サーバ３０から病院情報管理システム１０に対して、（Ｓ８）の接続要求が行われ、接続に成功した場合、（Ｓ１０）以降の処理が行われることになる。
【００６０】
また、サーバ３０の登録部１２４は、病院情報管理システム１０で情報の登録に成功したことを認識した場合、病院情報管理システム１０で登録に成功した情報と同じ情報を自らのテンポラリＤＢ４０に登録し（Ｓ１３）、必要に応じてバックアップデータとして利用する。
【００６１】
さらに、サーバ３０の登録部１２４は、本登録の完了通知を受け取ると、状況提供部１２６を介してＰＤＡ７０に病院情報管理システム１０で情報の本登録に成功した旨を示す本登録の完了通知を送信する（Ｓ１４）。ＰＤＡ７０の受付処理部１０６は、本登録の完了通知を受けとると、ＰＤＡ７０サーバ３０との間の回線を切断する（Ｓ１５）。また、ＰＤＡ７０の受付処理部１０６は本登録の完了通知を受け取ると、表示していたステータス情報１７２を取り下げ、ユーザである看護師に仮登録していた情報が病院情報管理システム１０で本登録されたことを通知する。
【００６２】
なお、（Ｓ６）において、ＰＤＡ７０がサーバ３０から仮登録の完了通知を受け取った後、所定時間、例えば３０秒経過しても（Ｓ１４）の登録完了通知を受け取れない場合、ＰＤＡ７０の受付処理部１０６は、今回の登録は失敗したと判断して、前述したような登録エラー処理を行い、ユーザに注意を促したり、情報登録を再試行する。なお、登録エラーの原因としては、通信が不安定であたり、サーバ３０で仮登録が多量に行われた本登録待ちが大量に発生している場合などがある。
【００６３】
上述したように、サーバ３０と病院情報管理システム１０との間での情報の登録に時間がかかってしまった場合でも、サーバ３０がＰＤＡ７０に対して仮登録の完了通知を行うことにより、サーバ３０と病院情報管理システム１０との間の情報登録の状況に関わりなく、ＰＤＡ７０による情報の登録作業を行うことができる。その結果、ユーザである看護師は、原則として、病院情報管理システム１０における本登録処理の状況に関わらず、ＰＤＡ７０の入力操作を行うことができる。
【００６４】
以上、本発明を好適な実施形態をもとに説明した。この実施形態は例示であり、それらの各構成要素や各処理プロセスの組合せにいろいろな変形例が可能なこと、またそうした変形例も本発明の範囲にあることは当業者に理解されるところである。例えば、実施形態において、図１、図２、図３などに示す構成は、一例であり、同様な機能を実現できる構成であれば、適宜変更可能であり、同様の効果を得ることができる。また、図２や図３に示す構成は、機能ブロックを示したものであり、同様な機能を実現できるものであれば、適宜変更可能であり、ハードウエアやソフトウエアで同等の機能実現が可能であり、同様な効果を得ることができる。また、ＰＤＡ７０の表示画面も一例であり、適宜変更可能であることはいうまでもない。
【００６５】
また、本実施形態では、端末装置として携帯端末装置を例に取り説明したが、ＰＣ６０から情報の登録を行う場合も、本実施形態と同様に、仮登録を行い、バックグラウンドで本登録を行うようにすることにより、本実施形態と同様な効果を得ることができる。
【００６６】
また、本実施形態では、端末装置を含む情報管理システム１を病院情報の管理に使用する場合を例に採り説明したが、複数の端末装置により上位システムにアクセスが集中することにより、端末装置に遅延が生じるような場合であれば、病院情報以外の任意の情報管理に適用可能であり、本実施形態と同様な効果を得ることができる。
【図面の簡単な説明】
【００６７】
【図１】本発明の実施の形態に係る端末装置、中間システム、上位システムを含む情報管理システムの構成を説明する説明図である。
【図２】本発明の実施の形態に係る情報管理システムに含まれる携帯端末装置の構成を説明する機能ブロック図である。
【図３】本発明の実施の形態に係る情報管理システムの中間システムに含まれるサーバの構成を説明する機能ブロック図である。
【図４】本発明の実施の形態に係る端末装置の使用時の表示画面を説明する説明図である。
【図５】図４の表示画面に続く表示画面を説明する説明図である。
【図６】本発明の実施の形態に係るＰＤＡに表示されるステータス情報の表示形態を説明する説明図である。
【図７】本発明の実施の形態に係る情報管理システムにおける処理シーケンスを説明する説明図である。
【符号の説明】
【００６８】
１  情報管理システム、  １０  病院情報管理システム、  １２  病院情報管理サーバ、  １４  マスタＤＢ、  １６  ＬＡＮ、  ２０  看護支援システム、  ３０  サーバ、  ４０  テンポラリＤＢ、  ５０  アクセスポイント、  ６０  ＰＣ、  ７０  ＰＤＡ、  ７２  表示入力部、  ７４  読取部、  １００  ＣＰＵ、  １０２  入力制御部、  １０４  登録要求部、  １０６  受付処理部、  １０８  登録確認部、  １１０  記憶部、  １１２  送受信部、  １１４  電源制御部、  １２０  ＣＰＵ、  １２２  要求受付部、  １２４  登録部、  １２６  状況提供部、  １２８  送受信部、  １３０  送受信部。
【図１】
2006268584.tif 000003
【図２】
2006268584.tif 000004
【図３】
2006268584.tif 000005
【図４】
2006268584.tif 000006
【図５】
2006268584.tif 000007
【図６】
2006268584.tif 000008
【図７】
2006268584.tif 000009